(57)【要約】【課題】埃や塵等に起因する不都合な縦スジを検出できる画像読取り装置を提供する。【解決手段】カラー画像読取り装置の読取り処理部３００は１つのＣＣＤ３１０、ＲＧＢの各色ごとに設けられた信号抽出・増幅部３２０Ｒ，３２０Ｇ，３２０Ｂ、Ａ／Ｄ変換器３３０Ｒ，３３０Ｇ，３３０Ｂ、シェーディング補正部３４０Ｒ、３４０Ｇ、３４０Ｂから成り、シェーディング補正部３４０Ｒ、３４０Ｇ、３４０Ｂが画像信号にシェーディング補正を施して出力信号３０１Ｒ，３０１Ｇ，３０１Ｂを出力する。出力信号３０１Ｒ，３０１Ｇ，３０１Ｂは縦スジ検出部３５０Ｒ，３５０Ｇ，３５０Ｂに入力されて、従来の方法によって縦スジの検出を行う。【選択図】      図５
2004297302.tif 000002
【特許請求の範囲】
【請求項１】
原稿を移動させながら前記原稿の画像を読み取る画像読取り装置において、
色に対する反応のピークが異なる複数のセンサを有し、前記原稿の画像を読み取るための固体撮像素子と、
前記固体撮像素子の出力信号に基づいて読み取った画像におけるスジ画像の有無を色毎に検出するスジ画像検出手段とを備えることを特徴とする画像読取り装置。
【請求項２】
前記スジ画像検出手段からの色毎の検出結果を組み合わせて、前記スジ画像の有無を判断することを特徴とする請求項１記載の画像読取り装置。
【請求項３】
前記検出結果の組み合せは論理和であることを特徴とする請求項２記載の画像読取り装置。
【請求項４】
原稿を移動させながら前記原稿の画像を読み取る画像読取り装置のスジ画像検出方法であって、
色に対する反応のピークが異なる複数のセンサを有する固体撮像素子によって前記原稿の画像を読み取る原稿画像読取りステップと、
前記固体撮像素子の出力信号に基づいて読み取った画像におけるスジ画像の有無を色毎に検出するスジ画像検出ステップとを有することを特徴とするスジ画像検出方法。
【請求項５】
各色毎の検出結果を組み合わせて、前記スジ画像の有無を判断することを特徴とする請求項４記載のスジ画像検出方法。
【請求項６】
前記検出結果の組み合せは論理和であることを特徴とする請求項５記載のスジ画像検出方法。
【請求項７】
原稿を移動させながら前記原稿の画像を読み取る画像読取り装置のスジ画像検出プログラムであって、
色に対する反応のピークが異なる複数のセンサを有する固体撮像素子によって前記原稿の画像を読み取る原稿画像読取りステップと、前記固体撮像素子の出力信号に基づいて読み取った画像におけるスジ画像の有無を色毎に検出するスジ画像検出ステップとをコンピュータに実行させることを特徴とするスジ画像検出プログラム。
【請求項８】
各色毎の検出結果を組み合わせて、前記スジ画像の有無を判断することを特徴とする請求項７記載のスジ画像検出プログラム。
【請求項９】
前記検出結果の組み合せは論理和であることを特徴とする請求項８記載のスジ画像検出プログラム。
【発明の詳細な説明】
【０００１】
【発明の属する技術分野】
本発明は原稿を移動させながら原稿の画像を読み取る画像読取り装置、スジ画像検出方法及びスジ画像検出プログラムに関する。
【０００２】
【従来の技術】
従来より、複写機等の画像読取り装置は、原稿を読み取る画像読取り装置の読取り部と原稿とを相対的に動かすことによって原稿の画像全体を読み取っている。これは、画像を高解像度で読み取ること及び画像読取り装置を小型化することのために画像読取りセンサとして１次元センサを採用しているからである。
【０００３】
この１次元センサを用いた画像の読取り方式の種類は、原稿を移動させて読取り部を固定しておく方式と原稿を止めておき読取り部を移動させる方式との２種類に大別される。また、原稿を移動させる方法には、自動原稿供給装置を用いて自動的に原稿を移動させる方法と、ユーザが手動で原稿を移動させる方法の２種類の方法がある。従って、画像の読取り方式と原稿の移動方法との組合わせは合計４種類になる。
【０００４】
しかし、読取り部を固定しておき、手動で原稿を移動させる方法は、原稿の移動速度を一定に保つことが難しいこと等に起因して画像の忠実な読み取りができないことが多いので、この原稿の移動方法を除いた３種類の組合わせが現在において多く採用されている方式である。これらの各方式について、以下で簡単に説明する。
【０００５】
先ず始めに、画像読取り面に原稿を手動で置き、読取り部を移動させて画像を読み取る方式（以下、本方式を「固定読み方式」という）について図１３を参照しながら説明する。
【０００６】
図１７は、従来の画像読取り装置の構造を示す模式図である。
【０００７】
画像読取り装置７００の本体７０１の上に配設された、原稿を抑えるための圧板７０２をオペレータが開いて、読取り部に読み取らせる原稿Ｄを原稿読取り面７０１ａに置く。圧板７０２には自動原稿供給装置７０３（以下、ＡＤＦ（Ａｕｔｏｍａｔｉｃ  Ｄｏｃｕｍｅｎｔ  Ｆｅｅｄｅｒ）７０３）が設けられている。読取り部は第１ミラーユニット７０４、第２ミラーユニット７０５及び読取りセンサ７０６等から構成される。
【０００８】
次に、読取り開始の指令をすることによって読取りセンサ７０６が原稿Ｄを主走査方向Ａ（図１７の紙面に直交する方向）に１次元的に読み取り、主走査方向Ａに直交する矢印Ｂ方向（副走査方向Ｂ）に走査を移動して行くことによって原稿Ｄの全体の画像を読み取ることができる。なお、原稿Ｄの画像は第１ミラーユニット７０４及び第２ミラーユニット７０５を介して読取りセンサ７０６に導かれる。
【０００９】
次に、原稿読み取り面７０１ａにＡＤＦ７０３によって原稿を自動的に供給し、原稿を一度停止させて読取り部を移動させることによって原稿の画像を読み取る方式（以下、本方式を「ＡＤＦ固定読み方式」と称する）について図１８を参照しながら説明する。
【００１０】
図１８は、原稿の供給状態と読取り部の移動との関係を３つの例をとって示す模式図である。
【００１１】
オペレータがＡＤＦ７０３に原稿Ｄを載置し、読み取り開始の指令を出すと、原稿ＤはＡＤＦ７０３によって供給され、原稿読取り面７０１ａに導かれて停止する。この停止した原稿Ｄの画像を読取りセンサ７０６が主走査方向Ａに１次元的に読み取り、主走査方向Ａに直交する副走査方向Ｂに走査を移動して行くことによって原稿全体の画像を読み取る。原稿全体の画像が読み取られた原稿ＤはＡＤＦ７０３によって読取り面７０１ａから自動的に搬出される。
【００１２】
次に読取り部を固定して自動的に原稿を供給するとともに原稿を移動し続けて原稿の画像を読み取る方式（以下、本方式を「流し読み方式」と称する）について図１９を参照しながら説明する。
【００１３】
図１９は、流し読み方式における原稿の移動状態を３つの例をとって示す模式図である。
【００１４】
オペレータがＡＤＦ７０３の原稿載置トレイ７０７に原稿Ｄを載置してから読取り開始の指令を出すと、読取り部の第１ミラーユニット７０４、第２ミラーユニット７０５等が画像読取り装置７００の本体７０１内の流し読み位置（図１９においては左端部付近）に移動して停止する。ＡＤＦ７０３によって原稿Ｄが送られてくると、原稿Ｄの画像を読取りセンサ７０６が主走査方向Ａに１次元的に読み取る。ＡＤＦ７０３が主走査方向Ａと直交する副走査方向Ｂに原稿Ｄを移動させ続けるので、読取りセンサ７０６は原稿全体の画像を読み取ることができる。
【００１５】
上記３方式のうち、固定読み方式では、オペレータが読取り面７０１ａを確認して原稿Ｄを置くことができるので、原稿Ｄの位置合わせミスが低減できることや、ＡＤＦ７０３の紙送り速度ムラに対する読取り部の走査ムラが小さいことから高精度に画像を読み取ることができるという利点がある。反面、読取り面７０１ａに置いた原稿Ｄを走査する際に、読取り部が副走査方向Ｂに往復動を行うことから、多数枚の原稿を連続して読み取るときには全ての原稿を読み取るまでに時間がかかるという難点がある。
【００１６】
また、ＡＤＦ固定読み方式では、オペレータが原稿Ｄを読取り面７０１ａに置いたり、原稿を置き換えたりする作業を自動的に行うので、多数枚の原稿を連続して読み取るときには固定読み方式に比べて全ての原稿を読み取るまでの時間を大幅に短縮できるという利点がある。反面、原稿Ｄの位置合わせに関しては精度もあまり上がらず、また、精度のばらつきも大きいので、読み取った原稿が一様な仕上がりで再現されることは期待し難い。
【００１７】
また、流し読み方式は、ＡＤＦ固定読み方式と同様に、オペレータによる原稿の載置・交換作業を省くことができるので、多数枚の原稿を連続して読み取るときには全ての原稿を読み取るまでの時間を短縮できるという利点がある。さらに、ＡＤＦ固定読み方式は原稿を給紙した後に読取り部が画像読取り装置内を副走査方向Ｂに往復動するのに対して、本方式は原稿を給紙すると同時に画像を読み取るので、ＡＤＦ固定読み方式に比べてさらに読取り時間を短縮できるという利点がある。
【００１８】
ところが、ＡＤＦ固定読み方式と同様に、原稿位置合わせの精度があまり上がらず、原稿位置のばらつきが大きいので、読み取った原稿が一様な仕上がりで再現されることは期待し難い。さらに加えて、原稿を移動させながら画像を読み取るため、読取り部の走査能力が高くても画質はＡＤＦの原稿搬送能力に左右されるので、均一で高い画質はあまり期待できない。
【００１９】
上記のような状況から、実際の画像読取り装置は、固定読み方式を標準的に備えるとともに自動的に原稿を供給する方式をも備えており、これら２方式から選択した「固定読み方式＋ＡＤＦ固定読み方式」もしくは「固定読み方式＋流し読み方式」としている場合が多い。最近の趨勢としては、単位時間あたりの読取り枚数を向上させる観点から、「固定読み方式＋流し読み方式」を採用する画像読取り装置が増えてきている。
【００２０】
しかしながら、「流し読み方式」を採用する画像読み取り装置には、読み取った画像に副走査方向Ｂに延びる縦スジが混入することが問題になっている。
【００２１】
この縦スジの発生原理について簡単に説明する。「流し読み方式」は、読取り部を固定して原稿を動かしながら原稿の画像を読み取る方式である。固定した読取り部は常に同じ方向に向いているので（図１９参照）、埃や塵などが読取り箇所に留まってしまうと読取り部は埃や塵を常に読み取ることになる。このため、読み取った画像には副走査方向Ｂに延びる縦スジが発生してしまうことになる（図２０の（ｂ）参照）。
【００２２】
これに対して「固定読み方式」や「ＡＤＦ固定読み方式」は原稿を固定し、読取り部を移動させて原稿の画像を読み取るので、読取り領域内に埃や塵があったとしても、それらの影響は読取り画像の一部に発生するだけで、縦スジが発生するような悪影響は生じずにあまり大きな問題にはならなかった。
【００２３】
この「縦スジ」が発生する問題に対して、例えば、白黒画像読取り装置において黒の縦スジの副走査方向の長さを検出することによって、縦スジが発生したかどうかの判断方法を提案しているものがある。（例えば、特許文献１参照）
このような方法を用いることによって画像読取り装置の縦スジ発生の警告を発したり、画像処理による縦スジの除去を行うための一助として利用したりすることが可能になる。
【００２４】
【特許文献１】
特開２００１−１５７０４６号公報
【００２５】
【発明が解決しようとする課題】
しかしながら、最近では、カラーの画像読み取り装置も単位時間あたりの原稿の読取り枚数を向上させるために「流し読み方式」を導入しつつあり、上述したように縦スジは流し読み方式の原理に起因するため、カラーの画像読み取り装置であっても縦スジの発生が問題になる。カラーの画像読取り装置は、多くがＲＧＢ３色のラインセンサを使って画像を読み取っているので、上述した特許文献１に開示されているような白黒用の縦スジ検出方法では縦スジを検出できない。
【００２６】
本発明の目的は、上記のような問題点に鑑み、画像を読み取る画像読み取り装置、とりわけ流し読み方式を採用したカラー画像読取り装置において埃や塵等に起因する不都合な縦スジを検出できる画像読取り装置を提供することにある。
【００２７】
【課題を解決するための手段】
上記目的を達成するために請求項１の画像読取り装置は、原稿を移動させながら前記原稿の画像を読み取る画像読取り装置において、色に対する反応のピークが異なる複数のセンサを有し、前記原稿の画像を読み取るための固体撮像素子と、前記固体撮像素子の出力信号に基づいて読み取った画像におけるスジ画像の有無を色毎に検出するスジ画像検出手段とを備えることを特徴とする。
【００２８】
請求項４のスジ画像検出方法は、原稿を移動させながら前記原稿の画像を読み取る画像読取り装置のスジ画像検出方法であって、色に対する反応のピークが異なる複数のセンサを有する固体撮像素子によって前記原稿の画像を読み取る原稿画像読取りステップと、前記固体撮像素子の出力信号に基づいて読み取った画像におけるスジ画像の有無を色毎に検出するスジ画像検出ステップとを有することを特徴とする。
【００２９】
請求項７のスジ画像検出プログラムは、原稿を移動させながら前記原稿の画像を読み取る画像読取り装置のスジ画像検出プログラムであって、色に対する反応のピークが異なる複数のセンサを有する固体撮像素子によって前記原稿の画像を読み取る原稿画像読取りステップと、前記固体撮像素子の出力信号に基づいて読み取った画像におけるスジ画像の有無を色毎に検出するスジ画像検出ステップとをコンピュータに実行させることを特徴とする。
【００３０】
【発明の実施の形態】
以下に図面を参照しながら本発明の実施の形態に係る画像読取り装置を詳しく説明する。
【００３１】
図１は、第１の実施の形態に係る画像読取り装置における原稿の移動状態を示す図であり、（ａ）は原稿が載置されている状態を示し、（ｂ）は読取りのために原稿が取りこまれている状態を示し、（ｃ）は読み取られた原稿が排出されている状態を示す。
【００３２】
画像読取り装置１００は、いわゆる「流し読み方式」を採用する画像読取り装置であり、概略構成は白黒画像読取り装置及びカラー画像読取り装置の何れにも共通である。なお、画像読取り装置１００は、「流し読み方式」に「固定読み方式」を併せ持ったものであってもよい。画像読取り装置１００は、本体１１０及び当該本体１１０の上に配設され、原稿を抑えるための圧板１２０を備えている。本体１１０の上面は、原稿の画像を読み取るため原稿を載置する原稿読取り面１１１として形成されている。本体１１０の内部には、原稿の画像を導くための第１ミラーユニット１１２、第２ミラーユニット１１３、画像を読み取るための読取りセンサ１１４、及び原稿に光を照射するランプや集光レンズ等の不図示の光学部品、並びに読取りセンサ１１４が検出した光の処理装置等により、原稿の画像を読み取るための画像読取り部が構成されている。
【００３３】
圧板１２０の上部片側には原稿を本体１１０の原稿読取り面１１１と圧板下面１２１との間に供給し、それらの間を移動させる自動原稿供給装置１３０（以下、ＡＤＦ（Ａｕｔｏｍａｔｉｃ  Ｄｏｃｕｍｅｎｔ  Ｆｅｅｄｅｒ）１３０）が配設されている。自動原稿供給装置１３０には原稿を載置しておく原稿載置トレイ１３１が取り付けられている。原稿Ｄは画像の形成された面を上にして、（ａ）に示すように原稿載置トレイ１３１に載置される。
【００３４】
ＡＤＦ１３０に載置された原稿Ｄは、画像読取り指令によって原稿読取り面１１１と圧板下面１２１との間に給紙される（（ｂ）参照）。これと同時に画像読取り部は、流し読み位置、すなわち、本体１１０内部の片側壁面付近に寄った位置（（ｂ）では左側壁面に寄った位置）に移動し、読取りの準備がなされる。（ｂ）に示すように、原稿Ｄが読取り部の第１ミラーユニット１１２の上を通過するタイミングにあわせて原稿Ｄの画像の読取りを開始し、原稿Ｄの位置に合わせて読取り開始・終了のタイミングを取ることによって画像を読み取っている。不図示のランプが原稿を照射し、原稿で反射した照射光は第１ミラーユニット１１２に入射する。第１ミラーユニット１１２は照射光の進路を変えて、照射光を第２ミラーユニット１１３に入射させる。第２ミラーユニット１１３は照射光の進路を変えて、読取りセンサ１１４に照射光を受光させる。
【００３５】
（ｃ）に示すように、原稿Ｄの画像全体が読み取られると１枚の原稿Ｄの読取りが終了し、原稿Ｄは原稿載置トレイ１３１の下方で圧板１２０の上に排紙される。原稿が複数枚ある場合には、次の原稿が自動的に供給されて、上述したと同様に画像の読取りが行われる。
【００３６】
図２は、白黒画像読取り装置における画像読取り部の一部である読取り処理部の概略を示す概略構成図である。
【００３７】
読取り処理部２００は画像読取り部の一部を構成し、固体撮像素子２１０（以下、ＣＣＤ２１０）、信号抽出・増幅部２２０、Ａ／Ｄ変換器２３０、シェーディング補正部２４０から成る。
【００３８】
不図示のランプによって光の照射を受けた原稿Ｄの画像の反射光は、ミラー１１２，１１３や不図示のレンズなど光学部品により、読取りセンサ１１４のＣＣＤ２１０に画像を結ぶ。ＣＣＤ２１０から出力されるアナログ信号は信号抽出・増幅部２２０よって抽出されて増幅される。増幅されたアナログ信号はＡ／Ｄ変換器２３０によってディジタル信号に変換される。最後にＣＣＤの感度ムラ、照明系や光学系などに起因する不均一性を補正するためにシェーディング補正部２４０によってシェーディング補正がなされて出力信号２０１が得られる。
【００３９】
図３は、読み取った白黒画像に原稿の画像には無い縦スジを検出する縦スジ検出部を示す図である。
【００４０】
白黒画像の画像信号である出力信号２０１は上記のようにシェーディング補正まで施された画像信号（データ）、もしくは、さらに画像処理まで行われた画像信号である。入力された画像信号に対して縦スジ検出部２５０は例えば特開２００１−１５７０４６号公報などで提案されている方法によって縦スジの検出を行う。本実施の形態では縦スジ検出方法を使った画像読取り装置の構成について言及するので、縦スジ検出方法についてまでは言及しない。
【００４１】
縦スジ検出部２５０は出力信号２０５（画像信号）を検出処理して縦スジ検知信号２５１と縦スジ位置信号２５２とを出力する。縦スジ検知信号２５１は、読み取った画像に原稿の画像には無い縦スジ（以下、単に「縦スジ」という）が含まれているか否かを表す信号であり、縦スジ位置信号２５２は、読み取った画像における縦スジの位置を示す信号である。ここでは縦スジ検出部２５０の出力信号として上記の２種類の信号を仮定したが、これら２種類の信号に限定することなく、他の情報を含んだ信号が追加されてもよい。
【００４２】
白黒画像読取装置は、縦スジ検知信号２５１に基づいて、縦スジ発生の警告を発したり、さらには縦スジ位置信号２５２の位置情報に基づいて、読み取った画像から縦スジ除去のための補正を加える。
【００４３】
図４は、カラー画像読取り装置における画像読取り部の一部である読取り処理部の概略を示す概略構成図である。
【００４４】
カラー画像読取り装置は、白黒画像読取り装置と異なり、色の原色分の情報を出力するために、情報の出力量が多くなる。ここでは、原色系ＣＣＤを使用してた固体撮像素子３１０（以下、ＣＣＤ３１０）がＲＧＢ３色の情報を出力している。ＣＣＤ３１０は色に対する反応のピークが異なる複数のセンサを有して成るものである。白黒に比べてカラーの場合には３倍の情報量を出力するために、ＣＣＤ３１０から出力される信号を処理する部分がＲＧＢ３色の各々に用意されている。
【００４５】
すなわち、読取り処理部３００は１つのＣＣＤ３０１、ＲＧＢの各色ごとに設けられた信号抽出・増幅部３２０Ｒ，３２０Ｇ，３２０Ｂ、Ａ／Ｄ変換器３３０Ｒ，３３０Ｇ，３３０Ｂ、シェーディング補正部３４０Ｒ、３４０Ｇ、３４０Ｂから成る。この読取り処理部３００では画像信号が最後にシェーディング補正部３４０Ｒ、３４０Ｇ、３４０Ｂによってシェーディング補正がなされて出力信号３０１Ｒ，３０１Ｇ，３０１Ｂが得られる。なお、各部の役割は白黒画像読取り装置における画像読取り部の構成と同様であるので、それらの説明は省略する。
【００４６】
図５は、読み取ったカラー画像に原稿の画像には無い縦スジを検出するための縦スジ検出部を示す図である。
【００４７】
カラー画像の画像信号である出力信号３０１Ｒ，３０１Ｇ，３０１Ｂはカラー画像のＲ、Ｇ、Ｂそれぞれの画像信号で、シェーディング補正まで施されたデータ、もしくは、さらに画像処理まで行われた画像信号である。縦スジ検出部３５０Ｒ，３５０Ｇ，３５０Ｂは、上述した白黒画像読取り装置と同様に、入力された画像信号に対して例えば特開２００１−１５７０４６号公報などで提案されている方法によって縦スジの検出を行う。
【００４８】
縦スジ検出部３５０Ｒは出力信号３０１Ｒ（画像信号）を検出処理して縦スジ検知信号３５１Ｒと縦スジ位置信号３５２Ｒとを出力する。縦スジ検出部３５０Ｇは出力信号３０１Ｇ（画像信号）を検出処理して縦スジ検知信号３５１Ｇと縦スジ位置信号３５２Ｇとを出力する。同様に、縦スジ検出部３５１Ｂは出力信号３０１Ｂ（画像信号）を検出処理して縦スジ検知信号３５１Ｂと縦スジ位置信号３５２Ｂとを出力する。これら縦スジ検知信号３５１Ｒ，３５１Ｇ，３５１Ｂはそれぞれの色において読み取った画像に原稿の画像には無い縦スジ（以下、単に「縦スジ」という）が含まれているか否かを表す信号であり、３５２Ｒ、３５２Ｇ、３５２Ｂは、読み取った画像における縦スジの位置を示す信号である。ここではそれぞれの色についての縦スジ検出部３５０Ｒ，３５０Ｇ，３５０Ｂの出力信号として上記の２種類の出力信号を仮定したが、これら２種類の信号に限定することなく、他の情報を含んだ信号が追加されてもよい。
【００４９】
カラー画像読取装置は、縦スジ検知信号３５１Ｒ，３５１Ｇ，３５１Ｂに基づいて、縦スジ発生の警告を発したり、さらには縦スジ位置信号３５２Ｒ，３５２Ｇ，３５２Ｂの位置情報に基づいて、読み取った画像から縦スジ除去のための補正を加える。
【００５０】
縦スジ補正のための手段を備えないカラー画像読取り装置の場合には、どの色の画像におけるどの位置において縦スジが発生したのか、或いは発生していないのかということはあまり重要ではない。この場合、各色の縦スジ検知結果を組み合わせて、最終的なカラー画像に縦スジが含まれるのか否かの判断をするだけで十分である。
【００５１】
図６は、読み取ったカラー画像に原稿の画像には無い縦スジが含まれるか否かを判断するための論理合成部を示す図である。論理合成部３６０は論理回路から構成されており、各色の縦スジ検出部３５０Ｒ，３５０Ｇ，３５０Ｂが出力した縦スジ検知信号３５１Ｒ，３５１Ｇ，３５１Ｂから、カラー画像に縦スジが含まれるか否かを判断する。
【００５２】
図７は、論理合成部が論理和である場合を例示する図である。
【００５３】
カラーＲＧＢの３色のうち、どれか１色でも画像に縦スジが含まれれば、それは目視できるものとして画像に現れる。したがって、３色のうちのどれか１色でも画像に縦スジを含めば、カラー画像として縦スジを検知したと判断する。
【００５４】
次に、第２の実施の形態に係る画像読取り装置を説明する。
【００５５】
第１の実施の形態に係る画像読取り装置ではカラー出力の各色毎に縦スジ検出部を設けて、画像に縦スジが有るか否かの検出や画像における縦スジの位置を認識する等を行ったが、本実施の形態に係る画像読取り装置は縦スジ検出部が１つだけである点が第１の実施の形態に係る画像読取装置とは異なる。
【００５６】
縦スジ検出部が単色の縦スジを検出することができるためには、あらかじめカラーの画像を合成して単色の画像にすることができればよく、この場合には縦スジ検出部を１箇所に減らすことができる。
【００５７】
本第２の実施の形態に係る画像読取り装置は上記の観点に基づいて発明されてものである。
【００５８】
図８は、第２の実施の形態に係る画像読取り装置の縦スジ検出部及びその近傍の構成を示すブロック図である。
【００５９】
カラー画像読取り装置から出力された各色の信号４０１Ｒ，４０１Ｇ，４０１Ｂがそれぞれの色毎に設けられた２値化部４１０Ｒ，４１０Ｇ，４１０Ｂによって２値化され、その結果が１つの合成部４２０によって合成されて単色の画像データに変換される。この単色の画像データは縦スジ検出部４３０に入力される。縦スジ検出部４３０は第１の実施の形態における縦スジ検出部２５０について説明したと同様に、縦スジ検知信号４３１と縦スジ位置信号４３２とを出力する。
【００６０】
図９は、図８における２値化部４１０Ｒ，４１０Ｇ，４１０Ｂの構成を例示する図である。
【００６１】
以下、図９にかかる説明においては、どの色に関しても同一の説明になるので２値化部及び当該２値化部に入力される信号につきそれぞれ２値化部４１０Ｒ、信号４０１Ｒを例に採って説明する。
【００６２】
２値化部４１０Ｒはディジタルコンパレータ４１１Ｒを有している。ディジタルコンパレータ４１１Ｒは、２値化部４１０Ｒに入力された信号４０１Ｒをあらかじめ設定されたしきい値４０２と比較して、２値出力４０３Ｒを出力する。この２値出力４０３Ｒは合成部４２０に入力される。
【００６３】
図１０は、図８における合成部４２０の構成を例示する図である。
【００６４】
合成部４２０は、図８の各色の２値化部４１０Ｒ，４１０Ｇ，４１０Ｂによって２値化された信号４０３Ｒ，４０３Ｇ，４０３Ｂの論理和を４２１によってとる。さらに、次の縦スジ検出部４３０が多値入力である場合には、論理和の結果によって、例えば縦スジ検出部４３０が８ｂｉｔ入力であると仮定して００とＦＦを切り替えることができるように構成されている。図１０では信号４０３Ｒ，４０３Ｇ，４０３Ｂの論理和をとっているが、その他の論理合成をとっても良く、論理合成をあらかじめ用意しておいて選択可能なようにしても良い。
【００６５】
縦スジ検出部の内部は多値データをあるしきい値で２値化してから、縦スジの判断を行っているため、この部分をあらかじめ各色に対して適用し、その結果を論理合成する、もしくは、多値入力の縦スジ検出部をそのまま使うのであれば合成後、例えば最大／最小値で多値化する事によって単色の画像を形成し、単色の縦スジ検出部を使うことができる。
【００６６】
また、縦スジ検出部４３０が２値入力である場合には、上記のように２値から多値への変換部を省くことができるので、さらに簡素な構成にできる。
【００６７】
上記の第２の実施の形態では原稿の画像を読み取る読取りセンサ１１４にＣＣＤ３１０を使用しているが、一般に、ＣＣＤが読み取る色系と、画像を用紙に形成する場合に用いられる色系とは異なることがある。例えば、ＣＣＤが画像を読み取るときの色系は赤（Ｒ）、緑（Ｇ）、青（Ｂ）を原色とする加法混色系であり、用紙に画像を形成するときの色系は黄（Ｙ）、赤紫（Ｍ）、空色（Ｃ）を原色とする減法混色系である場合が多い。
【００６８】
この場合、読取り画像に不要な縦スジが混入しているかどうかを判断するに際し、縦スジはＲＧＢ系で読み取られる。しかしながら、ファクシミリや複写機では、実際には読み取った画像が用紙に印刷されて初めて不要な縦スジが混入している否かが判断できる。従って、読み取った画像に縦スジが混入しているか否かを調べるよりも、用紙に印刷される画像に縦スジが混入しているか否かを調べる方が適当であり、実用的である。「実用的である」とは、原稿の画像を読み取った色を用紙に印刷する色への変換は１対１に対応していないからである。ＲＧＢ系とＹＭＣ系とを例に取ると、極単純には、これらは線形変換で１対１に関係づけることができる。しかし、実際には変換の途中で複雑な画像処理が行われており、１対１には対応してない。従って、ＲＧＢ系では縦スジが含まれているが、ＹＭＣ系では縦スジが含まれていない場合があり、または、その逆の場合も十分に起こり得る。
【００６９】
以上説明したように、本発明によれば、互いに異なる色に反応のピークがある複数のＣＣＤを有する画像読取り装置（カラー画像読取り装置）において、ＣＣＤの各色に縦スジ検出部を設けることによって、カラー画像読取り装置が読み取ったカラー画像に含まれる縦スジを検出することが可能である。また、各色の信号を２値化・合成することによって単色の画像に変換し、縦スジ検出部の数を少なくしてカラー画像に含まれる縦スジを検出することが可能である。
【００７０】
上記の事由に対応して、次に、第３の実施の形態にかかる画像読取り装置を説明する。
【００７１】
図１１は、第３の実施の形態に係る画像読取り装置の縦スジ検出部及びその近傍の構成を示すブロック図である。
【００７２】
本実施の形態に係る画像読取り装置では、前述の図４に示したシェーディング補正部３４０Ｒ，３４０Ｇ，３４０Ｂまでの構成は第１の実施の形態と同じであるが、シェーディング補正部３４０Ｒ，３４０Ｇ，３４０Ｂの後に色系変換部５１０を設けて色系変換を行っている点が示す第１の実施の形態にかかる画像読取り装置と異なっている。
【００７３】
カラー画像のＲ、Ｇ、Ｂそれぞれの画像信号は、シェーディング補正部３４０Ｒ，３４０Ｇ，３４０Ｂによってシェーディング補正がなされた出力信号３０１Ｒ，３０１Ｇ，３０１Ｂとして色系変換部５１０に入力される。この色系変換部５１０に入力する出力信号３０１Ｒ，３０１Ｇ，３０１Ｂは、上記のようにシェーディング補正の後にさらに画像処理まで行った画像信号であってもよい。
【００７４】
色系変換部５１０は、Ｒ，Ｇ，Ｂの色系（第１の色系）の信号である出力信号３０１Ｒ，３０１Ｇ，３０１ＢのをＹ，Ｍ，Ｃの色系（第２の色系）の信号である色系変換出力信号５１１Ｙ，５１１Ｍ，５１１Ｃに変換する。ここでは第１の色系の出力信号として３０１Ｒ，３０１Ｇ，３０１Ｂの３入力を仮定し、第２の色系の色系変換出力信号として５１１Ｙ，５１１Ｍ，５１１Ｃの３出力を仮定しているが、信号の入出力数はこれに限定するものではない。
【００７５】
縦スジ検出部５２０Ｙ，５２０Ｍ，５２０Ｃは、入力された画像信号に対して例えば特開２００１−１５７０４６号公報などで提案されている方法によって処理を行う。
【００７６】
縦スジ検出部５２０Ｙは色Ｙの画像に縦スジが含まれているか否かを表す縦スジ検知信号５２１Ｙ及び縦スジの位置を示す縦スジ位置信号５２２Ｙを出力する。同様に、縦スジ検出部５２０Ｍは縦スジ検知信号５２１Ｍ及び縦スジ位置信号５２２Ｍを出力し、縦スジ検出部５２０Ｃは縦スジ検知信号５２１Ｃ及び縦スジ位置信号５２２Ｃを出力する。ここでは縦スジ検出部５２０Ｙ，５２０Ｍ，５２０Ｃの出力信号として縦スジ検知信号と縦スジ位置信号との２種類の出力信号を仮定したが、これに限定するものではなく、さらに他の情報に関する信号を出力するようにしてもよい。
【００７７】
カラー画像読取り装置は、縦スジ検知信号５２１Ｙ，５２１Ｍ，５２１Ｃに基づき、縦スジ発生の警告を発したり、さらには縦スジ位置を示す位置信号５２２Ｙ，５２２Ｍ，５２２Ｃに基づいて、画像から縦スジを除去する補正を加える。
【００７８】
上記第１の実施の形態に係るカラー画像読取り装置について説明したように、縦スジ補正のための手段を備えないカラー画像読取り装置の場合には、どの色の画像におけるどの位置において縦スジが発生したのか、或いは発生していないのかということはあまり重要ではない。この場合、各色の縦スジ検知結果を組み合わせて、最終的なカラー画像に縦スジが含まれるのか否かの判断をするだけで十分である。
【００７９】
図１２は、読み取ったカラー画像に原稿の画像には無い縦スジが含まれるか否かを判断するために論理合成部を示す図である。論理合成部５３０は論理回路から構成されており、各色の縦スジ検出部５２０Ｙ，５２０Ｍ，５２０Ｃが出力した縦スジ検知信号５２１Ｙ，５２１Ｍ，５２１Ｃから、第２の色系の画像に縦スジが含まれるか否かを判断する。
【００８０】
図１３は、論理合成部５３０が論理和である場合を例示する図である。
【００８１】
第２の色系の色のうち、どれか１色でも画像に縦スジが含まれれば、それは目視できるものとして画像に現れる。したがって、第２の色系の色のうちのどれか１色でも画像に縦スジを含めば、第２の色系の画像として縦スジを検知したと判断する。
【００８２】
前述したが、画像読み取り装置はＲＧＢ系を採ることが多く、また、用紙へ印刷する装置はＹＭＣ系を採ることが多いので、色系変換部は入力がＲＧＢ系、出力がＹＭＣ系を採ることが多い。
【００８３】
次に、第４の実施の形態に係る画像読取り装置を説明する。
【００８４】
第３の実施の形態に係る画像読取り装置ではカラー出力の各色毎に縦スジ検出部を設けて、画像に縦スジが有るか否かの検出や画像における縦スジの位置を認識する等など、多くのことができる。しかし、例えば、カラー画像に縦スジが含まれているか否かだけの情報を得たいような場合には、縦スジ検出部を減らすことができ、これによって構成を簡略化できる。
【００８５】
すなわち、カラーの画像を合成して単色の画像にすることができれば縦スジ検出部を単色の縦スジを検出することができるもの１つだけにすることができる。
【００８６】
本実施の形態に係る画像読取り装置は上記の観点に基づいて発明されてものである。
【００８７】
図１４は、第４の実施の形態に係る画像読取り装置の縦スジ検出部及びその近傍の構成を示すブロック図である。
【００８８】
カラー画像読取装置から出力された各色の信号６０１Ｒ，６０１Ｇ，６０１Ｂが色系変換部６１０によって第１の色系の信号から第２の色系の信号６１１Ｙ，６１１Ｍ，６１１Ｃに変換される。ここでは、３入力３出力を仮定しているが、入出力数はこれに限定するものではない。
【００８９】
第２の色系に変換された後の画像信号６１１Ｙ，６１１Ｍ，６１１Ｃは２値化部６２０Ｙ，６２０Ｍ，６２０Ｃによって２値化され、その結果が合成部６３０によって合成されて単色の画像に変換され、出力６３１が縦スジ検出部６４０に入力される。縦スジ検出部６４０は縦スジ検知信号６４１や縦スジ位置信号６４２を出力する。
【００９０】
縦スジ検出部６４０の内部は多値データをあるしきい値で２値化してから、縦スジの有無等の判断を行つているため、この部分をあらかじめ各色に対して適用し、その結果を論理合成する。もしくは、多値入力の縦スジ検出部６４０をそのまま使用するのであれば合成後、例えば最大／最小値で多値化することによって単色の画像を形成し、単色の縦スジ検出部を使うことができる。
【００９１】
図１５は、図１４における２値化部６２０Ｙ，６２０Ｍ，６２０Ｃの構成を例示する図である。
【００９２】
以下、図１５にかかる説明においては、どの色に関しても同一の説明になるので２値化部及び当該２値化部に入力される信号としてそれぞれ２値化部６２０Ｙ、信号６１１Ｙを例に採って説明する。
【００９３】
２値化部６２０Ｙはディジタルコンパレータ６２Ｙを有している。ディジタルコンパレータ６２Ｙは、２値化部６２０Ｙに入力された信号６１１Ｙをあらかじめ設定されたしきい値６１２と比較して、２値出力６２１Ｙを出力する。この２値出力６２１Ｙは合成部６３０に入力される。
【００９４】
図１６は、図１４における合成部６３０の構成を例示する図である。
【００９５】
合成部６３０は、図１４の各色の２値化部６２０Ｙ，６２０Ｍ，６２０Ｃによって２値化された信号６２１Ｙ，６２１Ｍ，６２１Ｃの論理和を６３０Ａによってとる。さらに、次の縦スジ検出部６４０が多値入力である場合には、論理和の結果によって、例えば縦スジ検出部６４０が８ｂｉｔ入力であると仮定して切替部６３０Ｂで「００」と「ＦＦ」とを切り替えることができるように構成されている。図１６では信号６２１Ｙ，６２１Ｍ，６２１Ｃの論理和をとっているが、その他の論理合成をとっても良く、論理合成をあらかじめ用意しておいて選択可能なようにしても良い。
【００９６】
また、縦スジ検出部６４０が２値入力である場合には、上記のように２値から多値への変換部を省くことができるので、さらに簡素な構成にできる。
【００９７】
前述したが、画像読み取り装置はＲＧＢ系を採ることが多く、また、用紙へ印刷する装置はＹＭＣ系を採ることが多いので、色系変換部は入力がＲＧＢ系、出力がＹＭＣ系を採ることが多い。
【００９８】
上述した実施の形態によれば、互いに異なる色に反応する複数のＣＣＤを有する画像読取り装置（カラー画像読取り装置）において、ＣＣＤの各色を別の色系の色に変換した後、各々の色の画像に縦スジ検出部を設けることによって、カラー画像読取り装置が読み取ったカラー画像に含まれる縦スジを検出することが可能である。また、各色の信号を２値化・合成することによつて単色の画像に変換し、縦スジ検出部の数を少なくしてカラー画像に含まれる縦スジを検出することが可能である。
【００９９】
本発明は、上述した実施の形態の機能を実現するソフトウェアのプログラムを画像読取り装置のコンピュータ又はＣＰＵに供給し、そのコンピュータ又はＣＰＵが該供給されたプログラムを読出して実行することによって、達成することができる。
【０１００】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【０１０１】
上記プログラムの形態は、オブジェクトコード、インタプリタにより実行されるプログラムコード、ＯＳ（オペレーティングシステム）に供給されるスクリプトデータ等の形態から成ってもよい。
【０１０２】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【０１０３】
この場合、格納媒体から読出されたプログラムコード自体が上述した各実施の形態の機能を実現すると共に、そのプログラムコードを記憶した記憶媒体は本発明を構成する。
【０１０４】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１０５】
上述した実施の形態の機能は、コンピュータから読み出されたプログラムコードを実行することによるばかりでなく、コンピュータ上で稼動するＯＳ等がプログラムコードの指示に基づいて実際の処理の一部又は全部を行うことによっても実現することができる。
【０１０６】
本実施態様の例を以下に列挙する。
【０１０７】
〔実施態様１〕  原稿を移動させながら前記原稿の画像を読み取る画像読取り装置において、色に対する反応のピークが異なる複数のセンサを有し、前記原稿の画像を読み取るための固体撮像素子と、
前記固体撮像素子の出力信号に基づいて読み取った画像におけるスジ画像の有無を色毎に検出するスジ画像検出手段とを備えることを特徴とする画像読取り装置。
【０１０８】
本実施の態様によれば、色に対する反応のピークが異なる複数のセンサを有する固体撮像素子が原稿の画像を読み取り、読み取った異なる色の画像に関する出力信号に基づいて、縦スジ検出手段が各異なる色の画像毎に原稿の画像には無い縦スジが含まれているかを検出するので、原稿の画像には無い埃や塵等に起因する不都合な縦スジを検出できる。
【０１０９】
〔実施態様２〕  前記各色毎の縦スジ検出手段からの前記縦スジの検出結果を組み合わせて、前記読み取った画像に前記原稿の画像には無い縦スジが含まれているかを判断することを特徴とする実施態様１記載の画像読取り装置。
【０１１０】
〔実施態様３〕  前記縦スジ検出結果の組合せは論理和であることを特徴とする実施態様２記載の画像読取り装置。
【０１１１】
〔実施態様４〕  原稿を移動させながら前記原稿の画像を読み取る画像読取り装置において、色に対する反応のピークが異なる複数のセンサを有する、前記原稿の画像を読み取るための固体撮像素子と、前記固体撮像素子が読み取った異なる色の画像に関する出力信号を前記異なる色毎に２値化する２値化手段と、２値化された各色の信号を合成する合成手段と、当該合成手段が合成して出力した出力信号に基づいて、読み取った画像に前記原稿の画像には無い縦スジが含まれているかを検出する縦スジ検出手段とを備えることを特徴とする画像読取り装置。
【０１１２】
〔実施態様５〕  前記合成手段は、前記２値化された各色の合成方法を選択可能であることを特徴とする実施態様４記載の画像読取り装置。
【０１１３】
〔実施態様６〕  前記合成手段による前記２値化された各色の合成方法が論理和であることを特徴とする実施態様４記載の画像読取り装置。
【０１１４】
〔実施態様７〕  原稿を移動させながら前記原稿の画像を読み取る画像読取り装置において、色に対する反応のピークが異なる複数のセンサを有する、前記原稿の画像を読み取るための固体撮像素子と、前記固体撮像素子が第１の色系で読み取った異なる色の画像に関する出力信号を第２の色系の出力信号に変換する色系変換手段と、前記色系変換手段によって変換された第２の色系の信号に基づいて、第２の色系の各色の画像に前記原稿の画像には無い縦スジが含まれているかを検出する、前記第２の色系の各色毎に設けられた縦スジ検出手段とを備えることを特徴とする画像読取り装置。
【０１１５】
〔実施態様８〕  前記各色毎の縦スジ検出手段からの前記縦スジの検出結果を組み合わせて、前記読み取った画像に前記原稿の画像には無い縦スジが含まれているかを判断することを特徴とする実施態様７記載の画像読取り装置。
【０１１６】
〔実施態様９〕  前記縦スジ検出結果の組合せは論理和であることを特徴とする実施態様８記載の画像読取り装置。
【０１１７】
〔実施態様１０〕  前記第１の色系の異なる色は加法色系の原色であり、前記第２の色系の各色は減法色系の原色であることを特徴とする実施態様７乃至９のいずれか１に記載の画像読取り装置。
【０１１８】
〔実施態様１１〕  読み取る原稿を移動させながら前記原稿の画像を読み取る画像読取り装置において、色に対する反応のピークが異なる複数のセンサを有する、前記原稿の画像を読み取るための固体撮像素子と、前記固体撮像素子が第１の色系で読み取った異なる色の画像に関する出力信号を第２の色系の出力信号に変換する色系変換手段と、前記色系変換手段の前記第２の色系の出力信号を前記第２の色系の各色毎に２値化する２値化手段と、２値化された各色の信号を合成する合成手段と、当該合成手段が合成して出力した出力データに基づいて、読み取った画像に前記原稿の画像には無い縦スジが含まれているかを検出する縦スジ検出手段とを備えることを特徴とする画像読取り装置。
【０１１９】
〔実施態様１２〕  前記合成手段は、前記２値化された各色の合成方法を選択可能であることを特徴とする実施態様１１記載の画像読取り装置。
【０１２０】
〔実施態様１３〕  前記合成手段による前記２値化された各色の合成方法が論理和であることを特徴とする実施態様１１記載の画像読取り装置。
【０１２１】
〔実施態様１４〕  前記第１の色系の異なる色は加法色系の原色であり、前記第２の色系の各色は減法色系の原色であることを特徴とする実施態様１１乃至１３のいずれか１に記載の画像読取り装置。
【０１２２】
〔実施態様１５〕  原稿を移動させながら前記原稿の画像を読み取る画像読取り装置の縦スジ検出方法であって、色に対する反応のピークが異なる複数のセンサを有する固体素子によって前記原稿の画像を読み取る原稿画像読取りステップと、前記固体撮像素子が読み取った異なる色の画像に関する出力信号に基づいて、前記各異なる色の画像に前記原稿の画像には無い縦スジが含まれているかを検出する縦スジ検出ステップとを有することを特徴とする縦スジ検出方法。
【０１２３】
〔実施態様１６〕  前記各色毎の縦スジの検出結果を組み合わせて、前記読み取った画像に前記原稿の画像には無い縦スジが含まれているかを判断することを特徴とする実施態様１５記載の縦スジ検出方法。
【０１２４】
〔実施態様１７〕  前記縦スジ検出結果の組合せは論理和であることを特徴とする実施態様１６記載の縦スジ検出方法。
【０１２５】
〔実施態様１８〕  原稿を移動させながら前記原稿の画像を読み取る画像読取り装置の縦スジ検出方法であって、色に対する反応のピークが異なる複数のセンサを有する固体素子によって前記原稿の画像を読み取る原稿画像読取りステップと、前記固体撮像素子が読み取った異なる色の画像に関する出力信号を前記異なる色毎に２値化する２値化ステップと、２値化した各色の信号を合成する合成ステップと、当該合成ステップにより合成して出力した出力信号に基づいて、読み取った画像に前記原稿の画像には無い縦スジが含まれているかを検出する縦スジ検出ステップとを有することを特徴とする縦スジ検出方法。
【０１２６】
〔実施態様１９〕  前記合成ステップは、前記２値化した各色の合成方法を選択可能であることを特徴とする実施態様１８記載の縦スジ検出方法。
【０１２７】
〔実施態様２０〕  前記合成ステップで２値化した各色の合成方法が論理和であることを特徴とする実施態様１８記載の縦スジ検出方法。
【０１２８】
〔実施態様２１〕  原稿を移動させながら前記原稿の画像を読み取る画像読取り装置の縦スジ検出方法であって、色に対する反応のピークが異なる複数のセンサを有する固体素子によって前記原稿の画像を読み取る原稿画像読取りステップと、前記固体撮像素子が第１の色系で読み取った異なる色の画像に関する出力信号を第２の色系の出力信号に変換する色系変換ステップと、前記変換ステップによって変換した第２の色系の信号に基づいて、第２の色系の各色の画像に原稿の画像には無い縦スジが含まれているかを検出する、前記第２の色系の各色毎に行う縦スジ検出ステップとを有することを特徴とする画像読取り方法。
【０１２９】
〔実施態様２２〕  前記各色毎の縦スジ検出ステップによる前記縦スジの検出結果を組み合わせて、前記読み取った画像に前記元画像には無い縦スジが含まれているかを判断することを特徴とする実施態様２１記載の画像読取り方法。
【０１３０】
〔実施態様２３〕  前記縦スジ検出結果の組合せは論理和であることを特徴とする実施態様２２記載の画像読取り方法。
【０１３１】
〔実施態様２４〕  前記第１の色系の異なる色は加法色系の原色であり、前記第２の色系の各色は減法色系の原色であることを特徴とする実施態様２１乃至２３のいずれか１に記載の画像読取り方法。
【０１３２】
〔実施態様２５〕  原稿を移動させながら前記原稿の画像を読み取る画像読取り装置の縦スジ検出方法であって、色に対する反応のピークが異なる複数のセンサを有する固体素子によって前記原稿の画像を読み取る原稿画像読取りステップと、前記固体撮像素子が第１の色系で読み取った異なる色の画像に関する出力信号を第２の色系の出力信号に変換する色系変換ステップと、前記色系変換ステップによる前記第２の色系の出力信号を前記第２の色系の各色毎に２値化する２値化ステップと、２値化した各色の信号を合成する合成ステップと、当該合成ステップが合成して出力した出力信号に基づいて、読み取った画像に前記原稿の画像には無い縦スジが含まれているかを検出する縦スジ検出ステップとを有することを特徴とする縦スジ検出方法。
【０１３３】
〔実施態様２６〕  前記合成ステップは、前記２値化した各色の合成方法を選択可能であることを特徴とする実施態様２５記載の縦スジ検出方法。
【０１３４】
〔実施態様２７〕  前記合成手段による前記２値化した各色の合成方法が論理和であることを特徴とする実施態様２５記載の縦スジ検出方法。
【０１３５】
〔実施態様２８〕  前記第１の色系の異なる色は加法色系の原色であり、前記第２の色系の各色は減法色系の原色であることを特徴とする実施態様２５乃至２７のいずれか１に記載の縦スジ検出方法。
【０１３６】
〔実施態様２９〕  原稿を移動させながら前記原稿の画像を読み取る画像読取り装置の縦スジ検出プログラムであって、色に対する反応のピークが異なる複数のセンサを有する固体素子によって前記原稿の画像を読み取る原稿画像読取りステップと、前記固体撮像素子が読み取った異なる色の画像に関する出力信号に基づいて、前記各異なる色の画像に前記原稿の画像には無い縦スジが含まれているかを検出する縦スジ検出ステップとをコンピュータに実行させることを特徴とする縦スジ検出プログラム。
【０１３７】
【発明の効果】
以上、詳細に説明したように、本発明によれば、原稿を読み取ることで得られるカラー画像に含まれる埃や塵等に起因するスジ画像を確実に検出することができる。
【図面の簡単な説明】
【図１】第１の実施の形態に係る画像読取り装置における原稿の移動状態を示す図であり、（ａ）は原稿が載置されている状態を示し、（ｂ）は読取りのために原稿が取りこまれている状態を示し、（ｃ）は読み取られた原稿が排出されている状態を示す。
【図２】白黒画像読取り装置における画像読取り部の一部である読取り処理部の概略を示す概略構成図である。
【図３】読み取った白黒画像に原稿の画像には無い縦スジを検出するための縦スジ検出部を示す図である。
【図４】カラー画像読取り装置における画像読取り部の一部である読取り処理部の概略を示す概略構成図である。
【図５】読み取ったカラー画像に原稿の画像には無い縦スジを検出するするための縦スジ検出部を示す図である。
【図６】読み取ったカラー画像に原稿の画像には無い縦スジが含まれるか否かを判断するために論理合成部を示す図である。
【図７】論理合成部が論理和である場合を例示する図である。
【図８】第２の実施の形態に係る画像読取り装置の縦スジ検出部及びその近傍の構成を示すブロック図である。
【図９】図９は、図８における２値化部４１０Ｒ，４１０Ｇ，４１０Ｂの構成を例示する図である。
【図１０】図８における合成部４２０の構成を例示する図である。
【図１１】第３の実施の形態に係る画像読取り装置の縦スジ検出部及びその近傍の構成を示すブロック図である。
【図１２】読み取ったカラー画像に原稿の画像には無い縦スジが含まれるか否かを判断するための論理合成部を示す図である。
【図１３】論理合成部５３０が論理和である場合を例示する図である。
【図１４】第４の実施の形態に係る画像読取り装置の縦スジ検出部及びその近傍の構成を示すブロック図である。
【図１５】図１４における２値化部６２０Ｙ，６２０Ｍ，６２０Ｃの構成を例示する図である。
【図１６】図１４における合成部６３０の構成を例示する図である。
【図１７】従来の画像読取り装置の構造を示す模式図である。
【図１８】原稿の供給状態と読取り部の移動との関係を３つの例をとって示す模式図である。
【図１９】流し読み方式における原稿の移動状態を３つの例をとって示す模式図である。
【図２０】原稿の画像を示す図であり、（ａ）は読み取る原稿の画像を示し、（ｂ）は原稿から読み取った画像を示す。
【符号の説明】
２１０，３１０  ＣＣＤ（固体撮像素子）
２２０，３２０Ｒ，３２０Ｇ，３２０Ｂ  信号抽出・増幅部
２３０，３３０Ｒ，３３０Ｇ，３３０Ｂ  Ａ／Ｄ変換器
２４０，３４０Ｒ，３４０Ｇ，３４０Ｂ  シェーディング補正部
２５０，３５０Ｒ，３５０Ｇ，３５０Ｂ，４３０，５２０Ｙ，５２０Ｍ，５２０Ｃ，６４０  縦スジ検出部
３６０，５３０
４１０Ｒ，４１０Ｇ，４１０Ｂ  ２値化部
４１１Ｒ，６２Ｙ  ディジタルコンパレータ
６２０Ｙ，６２０Ｍ，６２０Ｃ  ２値化部
４２０，６３０  合成部
５１０，６１０  色系変換部
【図１】
2004297302.tif 000003
【図２】
2004297302.tif 000004
【図３】
2004297302.tif 000005
【図４】
2004297302.tif 000006
【図５】
2004297302.tif 000007
【図６】
2004297302.tif 000008
【図７】
2004297302.tif 000009
【図８】
2004297302.tif 000010
【図９】
2004297302.tif 000011
【図１０】
2004297302.tif 000012
【図１１】
2004297302.tif 000013
【図１２】
2004297302.tif 000014
【図１３】
2004297302.tif 000015
【図１４】
2004297302.tif 000016
【図１５】
2004297302.tif 000017
【図１６】
2004297302.tif 000018
【図１７】
2004297302.tif 000019
【図１８】
2004297302.tif 000020
【図１９】
2004297302.tif 000021
【図２０】
2004297302.tif 000022